(57)【要約】【課題】  舌部を有する第１スクロール部材と第１スクロール部材が装着されてスクロールケーシングを構成する第２スクロール部材とに分割可能な構造を有する遠心送風機のスクロールケーシングを送風装置ケーシングに組み込むことによって構成される送風装置において、組み込み作業の作業性を損なうことなく、送風装置吹出口から吹き出された空気が送風装置ケーシング内に逆流する量を少なくする。【解決手段】  スクロールケーシング３１ａ〜３１ｃは、舌部４１ａと仕切板２３の開口２３ａ〜２３ｃの一部に対応する第１端部４１ｂとを有するスクロール下部材４１と、第１端部４１ｂとともにスクロール吹出口３５ａ〜３５ｃを構成する第２端部４２ａを有するスクロール上部材４２とを備えている。スクロール下部材４１は、スクロール上部材４２に装着された状態において仕切板２３の開口２３ａ〜２３ｃの一部に当接する逆流防止部４１ｃを有している。【選択図】      図３
2005069177.tif 000002
【特許請求の範囲】
【請求項１】
送風装置吸入口（２ｇ、２ｈ）と送風装置吹出口（２３ａ〜２３ｃ）とを有する送風装置ケーシング（Ｓ1）内に配置されて送風装置（３）を構成する遠心送風機のスクロールケーシングであって、
舌部（４１ａ）と、前記舌部の送風装置吹出口側に前記送風装置吹出口の一部に対応するように形成された第１端部（４１ｂ、１４１ｂ）とを有する第１スクロール部材（４１、１４１）と、
前記送風装置吹出口の前記第１端部に対応する部分以外の部分に対応するように形成されて前記第１端部とともにスクロールケーシング内の空気を吹き出すためのスクロール吹出口（３５ａ〜３５ｃ）を構成する第２端部（４２ａ）を有し、前記第１スクロール部材が装着されてスクロールケーシングを構成する第２スクロール部材（４２）とを備え、
前記第１スクロール部材は、前記第１端部に形成され、前記第２スクロール部材に装着された状態において前記送風装置吹出口の周縁部の一部（２４）に当接する逆流防止部（４１ｃ、１４１ｃ）を有している、
遠心送風機のスクロールケーシング（３１ａ〜３１ｃ、１３１ａ〜１３１ｃ）。
【請求項２】
前記第２スクロール部材（４２）は、前記第２端部（４２ａ）に形成されたフランジ部（４２ｂ）を有しており、
前記フランジ部は、前記逆流防止部（４１ｃ、１４１ｃ）が当接する前記送風装置吹出口（２３ａ〜２３ｃ）の周縁部の部分（２４）以外の前記送風装置吹出口の周縁部（２５、２６、２７）に当接している、
請求項１に記載の遠心送風機のスクロールケーシング（３１ａ〜３１ｃ、１３１ａ〜１３１ｃ）。
【請求項３】
前記第１端部（４１ｂ、１４１ｂ）は、前記送風装置吹出口（２３ａ〜２３ｃ）の対応部分に挿入されるように配置されており、
前記第１スクロール部材（４１、１４１）は、遠心送風機を構成する羽根車（３２ａ〜３ｃ）が前記第２スクロール部材（４２）の所定位置に配置された状態で、前記羽根車との干渉を避けながら旋回されるようにして、前記第２スクロール部材に装着されており、
前記逆流防止部（４１ｃ、１４１ｃ）は、前記第２スクロール部材に前記第１スクロール部材を装着する作業を妨げることなく、前記送風装置吹出口の周縁部の一部（２４）に当接できるように形成されている、
請求項１又は２に記載の遠心送風機のスクロールケーシング（３１ａ〜３１ｃ、１３１ａ〜１３１ｃ）。
【請求項４】
前記逆流防止部（４１ｃ）は、前記送風装置ケーシング（Ｓ1）の外側の面に当接するように配置されている、請求項１又は２に記載の遠心送風機のスクロールケーシング（３１ａ〜３１ｃ）。
【請求項５】
前記第２スクロール部材（４２）は、前記送風装置吹出口（２３ａ〜２３ｃ）の周縁部の一部（２４）を前記逆流防止部（４１ｃ）との間に挟むように設けられた挟持部（４２ｃ、４２ｄ）を有している、請求項４に記載の遠心送風機のスクロールケーシング（３１ａ〜３１ｃ）。
【請求項６】
送風装置吸入口（２ｇ、２ｈ）と送風装置吹出口（２３ａ〜２３ｃ）とを有する送風装置ケーシング（Ｓ1）内に配置されて送風装置（３）を構成する遠心送風機であって、
請求項１〜５のいずれかに記載のスクロールケーシング（３１ａ〜３１ｃ、１３１ａ〜１３１ｃ）と、
前記スクロールケーシング内に配置された羽根車（３２ａ〜３２ｃ）と、
前記羽根車を回転駆動する電動機（３３）と、
を備えた遠心送風機。
【請求項７】
ユニット吸入口（２ｇ、２ｈ）とユニット吹出口（２ｉ）とを有する略箱状のユニットケーシング（２）と、
前記ユニットケーシング内に設けられ、前記ユニットケーシング内の空間を前記ユニット吸入口に連通される送風機室（Ｓ1）と前記ユニット吹出口に連通される熱交換器室（Ｓ2）とに仕切る仕切板（２３）と、
舌部（４１ａ）と、前記舌部の前記仕切板側に前記仕切板の開口（２３ａ〜２３ｃ）の一部に対応するように形成された第１端部（４１ｂ、１４１ｂ）とを有し前記送風機室内に設けられた第１スクロール部材（４１、１４１）と、
前記仕切板の開口の前記第１端部に対応する部分以外の部分に対応するように形成されて前記第１端部とともに前記熱交換器室内へ空気を吹き出すためのスクロール吹出口（３５ａ〜３５ｃ）を構成する第２端部（４２ａ）を有し、前記第１スクロール部材が装着されてスクロールケーシング（３１ａ〜３１ｃ）を構成する前記送風機室内に設けられた第２スクロール部材（４２）と、
前記スクロールケーシング内に配置された羽根車（３２ａ〜３２ｃ）と、
前記羽根車を回転駆動する電動機（３３）と、
前記熱交換器室内に配置され、前記ユニットケーシング内に取り込まれた空気を熱交換させるための熱交換器（５）とを備え、
前記第１スクロール部材は、前記第１端部に形成され、前記第２スクロール部材に装着された状態において前記仕切板の開口の周縁部の一部（２４）に当接する逆流防止部（４１ｃ）を有している、
空気調和装置の室内ユニット（１）。
【請求項８】
送風装置吸入口（２ｇ、２ｈ）と送風装置吹出口（２３ａ〜２３ｃ）とを有する送風装置ケーシング（Ｓ1）を備えた送風装置において、前記送風装置ケーシング内に配置され、舌部（４１ａ）を有する第１スクロール部材（４１、１４１）と前記第１スクロール部材が装着されてスクロールケーシング（３１ａ〜３１ｃ）を構成する第２スクロール部材（４２）とを有する遠心送風機の組立方法であって、
前記第２スクロール部材の前記送風装置吹出口側の端部（４２ａ）が前記送風装置吹出口に対応するように配置して、前記第２スクロール部材を前記送風装置ケーシングに固定する第１工程と、
前記遠心送風機を構成する羽根車（３２ａ〜３２ｃ）と電動機（３３）とを回転軸（３３ｂ）を介して連結したアセンブリを前記送風装置ケーシング内に配置する第２工程と、
前記第１スクロール部材の前記送風装置吹出口側の端部（４１ｂ、１４１ｂ）を前記羽根車との干渉を避けながら前記送風装置吹出口に挿入し、その後、前記第１スクロール部材を旋回させるようにして前記第２スクロール部材に装着してスクロールケーシングを完成させる第３工程とを備え、
前記第３工程では、前記第１スクロール部材の前記送風装置吹出口側の端部に形成された逆流防止部（４１ｃ、１４１ｃ）が、前記送風装置ケーシングの前記送風装置吹出口が設けられた部分に装着された前記第２スクロール部材に前記第１スクロール部材を装着する作業を妨げることなく、前記送風装置吹出口の周縁部の一部（２４）に当接するようになっている、
遠心送風機の組立方法。
【発明の詳細な説明】
【技術分野】
【０００１】
本発明は、遠心送風機のスクロールケーシング、それを備えた遠心送風機、その組立方法、特に、送風装置吸入口と送風装置吹出口とを有する送風装置ケーシング内に配置されて送風装置を構成する遠心送風機のスクロールケーシング、それを備えた遠心送風機、その組立方法に関する。また、本発明は、空気調和装置の室内ユニット、特に、ユニットケーシング内の空間が開口を有する仕切板によって送風機室と熱交換器室とに仕切られた空気調和装置の室内ユニットに関する。
【背景技術】
【０００２】
ダクト構造等を有する空気調和装置の室内ユニットに組み込まれる遠心送風機として、スクロールケーシングと、スクロールケーシング内に配置された羽根車と、羽根車を回転駆動する電動機とを備えたものがある。このような遠心送風機は、室内ユニットを構成する略箱状のユニットケーシング内に配置されている。ユニットケーシングは、下面又は背面にユニット吸入口を有し遠心送風機が配置されて室内ユニットの送風装置として機能する送風機室（送風装置ケーシング）と、前面にユニット吹出口を有し遠心送風機によってユニットケーシング内に取り込まれた空気を熱交換させるための熱交換器が配置される熱交換器室とを有している。これらの２つの室は、ユニットケーシング内に配置された仕切板によって前後に仕切られることによって形成されている。そして、遠心送風機のスクロールケーシングは、スクロール吸入口が側方を向くように、かつ、スクロール吹出口が仕切板に形成された開口に対応するように配置されている。すなわち、仕切板の開口は、送風装置の送風装置吹出口として機能している。
【０００３】
この室内ユニットにおいて、遠心送風機を駆動すると、ユニット吸入口から送風装置としての送風機室内に空気が取り込まれて、スクロール吸入口を経由してスクロールケーシング内に吸入され、羽根車によって羽根車の外周側に吹き出される。そして、羽根車の外周側に吹き出されて昇圧された空気は、送風装置のユニット吹出口としての仕切板の開口に対応するように配置されたスクロールケーシングのスクロール吹出口から熱交換器室内に吹き出され、熱交換器を通過する際に熱交換器の伝熱管内を流れる冷媒と熱交換を行い、加熱又は冷却される。そして、熱交換器によって加熱又は冷却された空気は、ユニット吹出口を経由して空調室内に吹き出される（例えば、特許文献１参照。）。
【０００４】
ところで、このような室内ユニットにおいては、ユニットケーシングに遠心送風機を組み込む際の作業性を考慮して、舌部を有するスクロール下部材（第１スクロール部材）とスクロール下部材が装着されてスクロールケーシングを構成するスクロール上部材（第２スクロール部材）とに分割可能な構造を有するスクロールケーシングを備えた遠心送風機を用いる場合がある（例えば、特許文献２参照。）。
【０００５】
以下に、この遠心送風機のユニットケーシングへの組み込み作業について説明する。まず、ユニットケーシングの下面を主に構成するケーシング蓋部材が装着されていない状態のケーシング本体の上面が下側になるように作業台に配置し、仕切板をケーシング本体に装着して送風機室及び熱交換器室を形成する。次に、遠心送風機のスクロールケーシングを構成するスクロール上部材を仕切板側の端部が仕切板の開口に対応するように配置してケーシング本体又は仕切板に固定する。次に、羽根車と電動機とがシャフトを介して連結されたアセンブリを羽根車がスクロールケーシング内に配置されるように配置して、電動機をケーシング本体又は仕切板に固定する。次に、スクロール下部材の仕切板側の端部を仕切板の開口に対応するように配置するとともにスクロール上部材に装着することによってスクロールケーシングを組み立てる。最後に、ケーシング本体にケーシング蓋部材を装着することによって室内ユニットを完成させる。このようにして、遠心送風機がユニットケーシングに組み込まれる。
【０００６】
しかし、このようにして組み込まれた遠心送風機では、仕切板とスクロールケーシングとが別体であるため、仕切板の開口（すなわち、送風装置の送風装置吹出口）の位置において、両部材間に隙間ができてしまう。このため、遠心送風機の送風仕事によって昇圧されてスクロールケーシングのスクロール吹出口から熱交換器室に吹き出された空気の一部は、送風機室内の圧力よりも熱交換器室内の圧力が高いことから、仕切板とスクロールケーシングとの間の隙間を通じて送風機室側に逆流してしまうため、送風性能が低下することになる。このため、仕切板の開口の位置における仕切板とスクロールケーシングとの間のシール性を高めておく必要がある。これに対して、スクロール下部材をスクロール上部材に装着した後に、スクロールケーシングと仕切板との間の隙間を埋めるためのシール部材を別途装着する等の対応を行うことが考えられるが、それでは、スクロールケーシングをユニットケーシングに組み込む作業の工数が増加して、作業性が損なわれることになる。
【特許文献１】特開平２−１１０２１９公報
【特許文献２】特開２０００−２８３０９４号公報
【発明の開示】
【発明が解決しようとする課題】
【０００７】
本発明の課題は、舌部を有する第１スクロール部材と第１スクロール部材が装着されてスクロールケーシングを構成する第２スクロール部材とに分割可能な構造を有する遠心送風機のスクロールケーシングを送風装置ケーシングに組み込むことによって構成される送風装置において、組み込み作業の作業性を損なうことなく、スクロールケーシングを通じて送風装置吹出口から吹き出された空気が送風装置ケーシング内に逆流する量を少なくすることにある。
【課題を解決するための手段】
【０００８】
請求項１に記載の遠心送風機のスクロールケーシングは、送風装置吸入口と送風装置吹出口とを有する送風装置ケーシング内に配置されて送風装置を構成する遠心送風機のスクロールケーシングであって、第１スクロール部材と、第２スクロール部材とを備えている。第１スクロール部材は、舌部と、舌部の送風装置吹出口側に送風装置吹出口の一部に対応するように形成された第１端部とを有する。第２スクロール部材は、送風装置吹出口の第１端部に対応する部分以外の部分に対応するように形成されて第１端部とともにスクロールケーシング内の空気を吹き出すためのスクロール吹出口を構成する第２端部を有し、第１スクロール部材が装着されてスクロールケーシングを構成する。第１スクロール部材は、第１端部に形成され、第２スクロール部材に装着された状態において送風装置吹出口の周縁部の一部に当接する逆流防止部を有している。
【０００９】
この遠心送風機のスクロールケーシングでは、第１スクロール部材が第１スクロール部材を第２スクロール部材に装着した状態において、第１スクロール部材の第１端部に送風装置吹出口の周縁部の一部に当接する逆流防止部が設けられているため、スクロールケーシングを送風装置ケーシング内に組み込む際の作業性を損なうことなく、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００１０】
請求項２に記載の遠心送風機のスクロールケーシングは、請求項１において、第２スクロール部材は、第２端部に形成されたフランジ部を有している。フランジ部は、逆流防止部が当接する送風装置吹出口の周縁部の部分以外の送風装置吹出口の周縁部に当接している。
この遠心送風機のスクロールケーシングでは、第２スクロール部材の第２端部が、第１スクロール部材の第１端部に設けられた逆流防止部が当接する送風装置吹出口の周縁部の部分以外の送風装置吹出口の周縁部に当接するフランジ部を有しているため、第２スクロール部材の第２端部と送風装置ケーシングの送風装置吹出口の周縁部の第２端部に対応する部分とのシール性を高めることができる。これにより、スクロールケーシングを通じてスクロール吹出口から吹き出される空気が送風装置ケーシング内に逆流する量をさらに少なくすることができる。
【００１１】
請求項３に記載の遠心送風機のスクロールケーシングは、請求項１又は２において、第１端部は、送風装置吹出口の対応部分に挿入されるように配置されている。第１スクロール部材は、遠心送風機を構成する羽根車が第２スクロール部材の所定位置に配置された状態で羽根車との干渉を避けながら旋回されるようにして第２スクロール部材に装着されている。逆流防止部は、第２スクロール部材に第１スクロール部材を装着する作業を妨げることなく、送風装置吹出口の周縁部の一部に当接できるように形成されている。
【００１２】
この遠心送風機のスクロールケーシングは、以下のような手順で、送風装置ケーシングに組み込むことができる。まず、第２スクロール部材の第２端部を送風装置ケーシングの送風装置吹出口の対応部分に配置し、その後、遠心送風機を構成する羽根車を第２スクロール部材の所定位置に配置する。そして、第１スクロール部材の第１端部を羽根車との干渉を避けながらを送風装置吹出口に挿入した後に、第１スクロール部材を旋回させるようにして第２スクロール部材に装着することにより、スクロールケーシングを完成させる。ここで、逆流防止部は、第２スクロール部材に第１スクロール部材を装着する作業を妨げることなく、送風装置吹出口の周縁部の一部に当接できるように形成されているため、第１スクロール部材を旋回させるようにして第２スクロール部材に装着してスクロールケーシングを組み立てる場合であっても、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００１３】
請求項４に記載の遠心送風機のスクロールケーシングは、請求項１又は２において、逆流防止部は、送風装置ケーシングの外側の面に当接するように配置されている。
この遠心送風機のスクロールケーシングは、逆流防止部が送風装置ケーシングの外側の面に当接するように配置されているため、以下のような手順で、送風装置ケーシングに組み込むことができる。まず、第２スクロール部材の第２端部を送風装置ケーシングの送風装置吹出口の対応部分に配置し、その後、遠心送風機を構成する羽根車を第２スクロール部材の所定位置に配置する。そして、第１スクロール部材の第１端部を羽根車との干渉を避けながらを送風装置吹出口に挿入した後に、第１スクロール部材を旋回させるようにして第２スクロール部材に装着することにより、スクロールケーシングを完成させる。このとき、逆流防止部は、送風装置ケーシングの外側において、第１スクロール部材の旋回動作とともに旋回されて送風装置吹出口の周縁部の一部に当接するようになるため、第２スクロール部材に第１スクロール部材を装着する作業を妨げることなく、第１スクロール部材の第１端部と送風装置ケーシングの送風装置吹出口が設けられた部分との間のシール性を高めることができる。このように、第１スクロール部材を旋回させるようにして第２スクロール部材に装着してスクロールケーシングを組み立てる場合であっても、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００１４】
請求項５に記載の遠心送風機のスクロールケーシングは、請求項４において、第２スクロール部材は、送風装置吹出口の周縁部の一部を逆流防止部との間に挟むように設けられた挟持部を有している。
この遠心送風機のスクロールケーシングでは、第１スクロール部材を第２スクロール部材に装着して逆流防止部が送風装置ケーシングの外側において送風装置吹出口の周縁部の一部に当接させた際に、第２スクロール部材に設けられた挟持部との間に送風装置ケーシングの送風装置吹出口の周縁部の一部を挟むようになっている。これにより、送風装置ケーシングの送風装置吹出口の周縁部の一部と逆流防止部との密着が良好になるため、第１スクロール部材の第１端部と送風装置ケーシングの送風装置吹出口の周縁部の一部との間のシール性を高めることができる。
【００１５】
請求項６に記載の遠心送風機は、送風装置吸入口と送風装置吹出口とを有する送風装置ケーシング内に配置されて送風装置を構成する遠心送風機であって、請求項１〜５のいずれかに記載のスクロールケーシングと、スクロールケーシング内に配置された羽根車と、羽根車を回転駆動する電動機とを備えている。
この遠心送風機では、スクロールケーシングが舌部を有する第１スクロール部材と第１スクロール部材が装着される第２スクロール部材とに分割可能な構造になっている。そして、第１スクロール部材の第１端部には、第１スクロール部材が第２スクロール部材に装着された状態において、送風装置吹出口の周縁部の一部に当接する逆流防止部が形成されているため、スクロールケーシングを送風装置ケーシング内に組み込む際の作業性を損なうことなく、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００１６】
請求項７に記載の空気調和装置の室内ユニットは、略箱状のユニットケーシングと、仕切板と、第１スクロール部材と、第２スクロール部材と、羽根車と、電動機と、熱交換器とを備えている。ユニットケーシングは、ユニット吸入口とユニット吹出口とを有する。仕切板は、ユニットケーシング内に設けられ、ユニットケーシング内の空間をユニット吸入口に連通される送風機室とユニット吹出口に連通される熱交換器室とに仕切る。第１スクロール部材は、舌部と、舌部の仕切板側に仕切板の開口の一部に対応するように形成された第１端部とを有し送風機室内に設けられている。第２スクロール部材は、仕切板の開口の第１端部に対応する部分以外の部分に対応するように形成されて第１端部とともに熱交換器室内へ空気を吹き出すためのスクロール吹出口を構成する第２端部を有し、第１スクロール部材が装着されてスクロールケーシングを構成しており、送風機室内に設けられている。羽根車は、スクロールケーシング内に配置されている。電動機は、羽根車を回転駆動する。熱交換器は、熱交換器室内に配置され、ユニットケーシング内に取り込まれた空気を熱交換させるための熱交換器とを備えている。第１スクロール部材は、第１端部に形成され、第２スクロール部材に装着された状態において仕切板の開口の周縁部の一部に当接する逆流防止部を有している。
【００１７】
この空気調和装置の室内ユニットでは、スクロールケーシングが舌部を有する第１スクロール部材と第１スクロール部材が装着される第２スクロール部材とに分割可能な構造になっている。そして、第１スクロール部材の第１端部には、第１スクロール部材が第２スクロール部材に装着された状態において、仕切板の開口の周縁部の一部に当接する逆流防止部が形成されているため、スクロールケーシングをユニットケーシング内に組み込む際の作業性を損なうことなく、第１スクロール部材の第１端部と仕切板の開口の周縁部の一部との間のシール性を高めることができる。これにより、スクロールケーシングを通じてスクロール吹出口から熱交換器室内に吹き出される空気が送風機室内に逆流する量を少なくすることができるようになり、送風性能の低下を防ぐことができる。
【００１８】
請求項８に記載の遠心送風機の組立方法は、送風装置吸入口と送風装置吹出口とを有する送風装置ケーシングを備えた送風装置において、送風装置ケーシング内に配置され、舌部を有する第１スクロール部材と前記第１スクロール部材が装着されてスクロールケーシングを構成する第２スクロール部材とを有する遠心送風機の組立方法であって、第１工程と、第２工程と、第３工程とを備えている。第１工程は、第２スクロール部材の送風装置吹出口側の端部が送風装置吹出口に対応するように配置して、第２スクロール部材を送風装置ケーシングに固定する。第２工程は、遠心送風機を構成する羽根車と電動機とを回転軸を介して連結したアセンブリを送風装置ケーシング内に配置する。第３工程は、第１スクロール部材の送風装置吹出口側の端部を羽根車との干渉を避けながら送風装置吹出口に挿入し、その後、第１スクロール部材を旋回させるようにして第２スクロール部材に装着してスクロールケーシングを完成させる。第３工程では、第１スクロール部材の送風装置吹出口側の端部に形成された逆流防止部が、送風装置ケーシングの送風装置吹出口が設けられた部分に装着された第２スクロール部材に第１スクロール部材を装着する作業を妨げることなく、送風装置吹出口の周縁部の一部に当接するようになっている。
【００１９】
この遠心送風機の組立方法では、逆流防止部が、第２スクロール部材に第１スクロール部材を装着する作業を妨げることなく、送風装置吹出口の周縁部の一部に当接できるように形成されているため、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【発明の効果】
【００２０】
以上の説明に述べたように、本発明によれば、以下の効果が得られる。
請求項１に係る発明では、スクロールケーシングを送風装置ケーシング内に組み込む際の作業性を損なうことなく、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００２１】
請求項２にかかる発明では、第２スクロール部材の第２端部と送風装置ケーシングの送風装置吹出口の第１端部に対応する周縁部以外の周縁部とのシール性を高めることができる。これにより、スクロールケーシングを通じてスクロール吹出口から吹き出される空気が送風装置ケーシング内に逆流する量をさらに少なくすることができる。
請求項３にかかる発明では、第１スクロール部材を旋回させるようにして第２スクロール部材に装着してスクロールケーシングを組み立てる場合であっても、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００２２】
請求項４にかかる発明では、第１スクロール部材を旋回させるようにして第２スクロール部材に装着してスクロールケーシングを組み立てる場合であっても、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００２３】
請求項５にかかる発明では、送風装置ケーシングの送風装置吹出口の周縁部の一部と逆流防止部との密着が良好になるため、第１スクロール部材の第１端部と送風装置ケーシングの送風装置吹出口が設けられた部分との間のシール性を高めることができる。
請求項６にかかる発明では、スクロールケーシングを送風装置に組み込む際の作業性を損なうことなく、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【００２４】
請求項７にかかる発明では、スクロールケーシングをユニットケーシング内に組み込む際の作業性を損なうことなく、第１スクロール部材の第１端部とユニットケーシングの仕切板の開口の周縁部の一部との間のシール性を高めることができる。これにより、スクロールケーシングを通じてスクロール吹出口から熱交換器室内に吹き出される空気が送風機室内に逆流する量を少なくすることができるようになり、送風性能の低下を防ぐことができる。
【００２５】
請求項８にかかる発明では、第１スクロール部材を旋回させるようにして第２スクロール部材に装着してスクロールケーシングを組み立てる場合であっても、第１スクロール部材の第１端部と送風装置ケーシングの送風装置吹出口の周縁部の一部との間のシール性を高めることができる。これにより、スクロールケーシングを通じてスクロール吹出口から吹き出される空気が送風装置ケーシング内に逆流する量を少なくすることができるようになり、送風性能の低下を防ぐことができる。
【発明を実施するための最良の形態】
【００２６】
以下、本発明にかかる遠心送風機のスクロールケーシング、それを備えた遠心送風機、その組立方法、及び空気調和装置の室内ユニットの実施形態について、図面に基づいて説明する。
［第１実施形態］
（１）室内ユニットの全体構造
図１及び図２は、本発明にかかる遠心送風機のスクロールケーシング、それを備えた遠心送風機、その組立方法、及び空気調和装置の室内ユニットの一実施形態が採用された室内ユニット１を示す平面図（ユニットケーシングの上面を取り除いて図示）及び側面図（図１のＡ矢視図）である。この室内ユニット１は、空調室の天井裏の空間に配置されたダクト構造のものである。この室内ユニット１は、室外に配置される室外ユニット（図示せず）に冷媒連絡配管（図示せず）を介して接続されている。
【００２７】
室内ユニット１は、主に、略箱状のユニットケーシング２と、送風装置３と、熱交換器５と、電装品箱６とを備えている。
＜ユニットケーシング＞
ユニットケーシング２は、その内部に送風装置３、熱交換器５及び電装品箱６を格納するための部材であり、主に、下面２ａ（図１の紙面奥側の面）側が開口したケーシング本体２１と、ケーシング本体２１を下側から覆うように配置されたケーシング蓋部材２２とを備えている。
【００２８】
ユニットケーシング２には、その下面２ａ及び背面２ｂ（図１の紙面上側の面）にユニット吸入口２ｇ、２ｈを有し送風装置３が配置される送風機室Ｓ1と、前面２ｃ（図１の紙面下側の面）にユニット吹出口２ｉを有し熱交換器５が配置される熱交換器室Ｓ2とが形成されている。尚、ユニット吸入口２ｇ、２ｈは、天井裏の空間における設置条件に応じて、いずれか一方を選択して用いることができるようになっている。送風機室Ｓ1と熱交換器室Ｓ2とは、ユニットケーシング２内に配置された仕切板２３によって前後に仕切られることによって形成されている。仕切板２３には、送風装置３を構成する３つのスクロールケーシング３１ａ〜３１ｃのスクロール吹出口３５ａ〜３５ｃ（後述）のそれぞれに対応するように形成された３つの開口２３ａ〜２３ｃが形成されている。
【００２９】
＜送風装置＞
送風装置３は、送風機室Ｓ1内に配置されており、ユニット吸入口２ｇ、２ｈから送風機室Ｓ1内に空気を吸入して昇圧し、仕切板２３の開口２３ａ〜２３ｃを介して熱交換器室Ｓ2に吹き出すための機器である。このため、ユニットケーシング２の送風機室Ｓ1に対応する部分及び仕切板２３は、送風装置３の送風装置ケーシングを構成しているともいえる。また、仕切板２３の開口２３ａ〜２３ｃは、送風装置３の送風装置吹出口を構成しているともいえる。
【００３０】
送風装置３は、本実施形態において、３つのスクロール形状のスクロールケーシング３１ａ〜３１ｃと、各スクロールケーシング３１ａ〜３１ｃ内に配置された羽根車３２ａ〜３２ｃと、羽根車３２ａ〜３２ｃを回転駆動する電動機３３とを備えている。
各スクロールケーシング３１ａ〜３１ｃは、両吸い込み式の遠心送風機を構成するためにその両側面に形成されたスクロール吸入口３４ａ〜３４ｃと、スクロール吸入口３４ａ〜３４ｃに交差する方向に空気を吹き出すように形成されたスクロール吹出口３５ａ〜３５ｃとを有している。そして、各スクロールケーシング３１ａ〜３１ｃは、スクロール吸入口３４ａ〜３４ｃがユニットケーシング２の側方を向くように、かつ、スクロール吹出口３５ａ〜３５ｃが仕切板２３に形成された開口２３ａ〜２３ｃにそれぞれ対応するように、ユニットケーシング２の左側面２ｄ（図１の紙面左側の面）から右側面２ｅ（図１の紙面右側の面）に向かって順に並んで配置されている。尚、３つのスクロールケーシング３１ａ〜３１ｃは、それぞれ、ユニットケーシング２における上下方向に分割可能な構造を有しているが、その詳細な構造については、後述する。
【００３１】
羽根車３２ａ〜３２ｃは、本実施形態において、両吸い込み式の遠心送風機用の羽根車であり、各スクロールケーシング３１ａ〜３１ｃ内に配置されている。尚、羽根車及びスクロールケーシングは、本実施形態において、３つあるが、これに限定されるものではなく、１つや２つ、又は４つ以上であってもよい。また、羽根車及びスクロールケーシングは、本実施形態において、両吸い込み式であるが、片吸い込み式であってもよい。
【００３２】
電動機３３は、本実施形態において、ユニットケーシング２の平面視において、スクロールケーシング３１ｂと３１ｃとの間に配置されており、支持部材３３ａを介して仕切板２３やケーシング本体２１に固定されている。電動機３３のシャフト３３ｂは、ユニットケーシング２の左側面２ｄ（図１の紙面左側の面）から右側面２ｅ（図１の紙面右側の面）に向かって延びており、各羽根車３２ａ〜３２ｃが軸支されている。そして、シャフト３３ｂの左側面側の端部は、軸受３３ｃを介してユニットケーシング２の左側面２ｄに支持されている。
【００３３】
これにより、送風装置３を駆動すると、ユニット吸入口２ｇ、２ｈから送風機室Ｓ1内に空気が取り込まれ、取り込まれた空気がスクロール吸入口３４ａ〜３４ｃを通じて各スクロールケーシング３１ａ〜３１ｃ内に吸入され、羽根車３２ａ〜３２ｃによって羽根車３２ａ〜３２ｃの外周側に吹き出される。そして、羽根車３２ａ〜３２ｃの外周側に吹き出されて昇圧された空気は、仕切板２３の各開口２３ａ〜２３ｃに対応するように配置された各スクロールケーシング３１ａ〜３１ｃのスクロール吹出口３５ａ〜３５ｃから熱交換器室Ｓ2内に吹き出されるようになっている。
【００３４】
＜熱交換器＞
熱交換器５は、熱交換器室Ｓ2内に配置されており、送風機室Ｓ1内で送風装置３によって昇圧されて各スクロールケーシング３１ａ〜３１ｃのスクロール吹出口３５ａ〜３５ｃから熱交換器室Ｓ2内に吹き出された空気を熱交換させるための機器である。熱交換器５は、本実施形態において、クロスフィンチューブ式の熱交換器であり、斜めに傾斜するように配置されている。そして、熱交換器５の下側には、ドレンパン２ｊが配置されており、熱交換器５で発生した結露水を受けることができるようになっている。
【００３５】
これにより、スクロール吹出口３５ａ〜３５ｃから熱交換器室Ｓ2内に吹き出された空気は、熱交換器５の伝熱管内を流れる冷媒と熱交換を行うことによって冷却又は加熱されて、ユニット吹出口２ｉから空調室内に吹き出されるようになっている。
＜電装品箱＞
電装品箱６は、主に、室内ユニット１の運転制御を行うための制御Ｐ板等を含む各種電気部品が収納されており、ユニットケーシング２内に配置されている。本実施形態において、電装品箱６は、送風機室Ｓ1内のユニットケーシング２の右側面２ｅ側において、スクロールケーシング３１ｃに隣接するように配置されている。
【００３６】
（２）スクロールケーシングの構造
次に、スクロールケーシング３１ａ〜３１ｃの詳細構造について、図３〜６を用いて説明する。尚、３つのスクロールケーシング３１ａ〜３１ｃは、本実施形態において、同一の形状を有しているため、ここでは、３つのスクロールケーシングを代表して、スクロールケーシング３１ａについて説明し、スクロールケーシング３１ｂ、３１ｃについての説明は省略する。ここで、図３は、図１のＢ−Ｂ断面図（ユニットケーシング２を除いて図示）である。図４は、図３のＣ−Ｃ断面図である。図５は、図３のＤ矢視図である。図６は、図４のＥ−Ｅ断面図である。
【００３７】
スクロールケーシング３１ａは、本実施形態において、樹脂製の部材であり、羽根車３２ａを下方から覆うスクロール下部材４１（第１スクロール部材）と、羽根車３２ａを上方から覆うスクロール上部材４２（第２スクロール部材）とを備えている。
スクロール下部材４１は、スクロールケーシング３１ａの下側部分を構成しており、舌部４１ａと、舌部４１ａの仕切板２３側に開口２３ａの一部に対応するように形成された第１端部４１ｂとを有している。ここで、仕切板２３の開口２３ａは、本実施形態において、やや横長の長方形状の角孔である。そして、第１端部４１ｂは、本実施形態において、仕切板２３の開口２３ａの下辺に対応するように配置され、仕切板２３に向かうにつれて斜め下方向に延び、その先端が開口２３ａに挿入されて熱交換器室Ｓ2側に突出している。そして、スクロール下部材４１は、第１端部４１ｂに形成され、スクロール上部材４２にスクロール下部材４１を装着した状態において、仕切板２３の開口２３ａの周縁部の一部（具体的には、開口２３ａの下辺側の周縁部２４）に当接する逆流防止部４１ｃを有している。逆流防止部４１ｃは、本実施形態において、周縁部２４の熱交換器室Ｓ2側（外側）の面に当接するように配置された平板状の部分であり、第１端部４１ｂと仕切板２３の開口２３ａの周縁部２４との間の隙間をシールしている。また、舌部４１ａの両側の端部には、スクロール上部材４２側に向かい、かつ、仕切板２３側に向かって延びる側面視が長方形形状の側壁部４１ｉが形成されている。
【００３８】
また、スクロール下部材４１は、スクロール上部材４２に装着された際に、スクロール吸入口３４ａが形成されるように、シャフト３３ｂを中心とする半円形状のベルマウス下部４１ｄが両側面に形成されている。そして、ベルマウス下部４１ｄの舌部４１ａ近傍には、側方に向かって突出するとともにスクロール上部材４２側に向かって突出するＶ字形状の凹部４１ｅが形成されている。また、ベルマウス下部４１ｄの凹部４１ｅのシャフト３３ｂを挟んで略対角側の位置には、側方に向かって突出する柱状部４１ｆが形成されている。
【００３９】
さらに、スクロール下部材４１は、ユニットケーシング２の背面２ｂ側の上端部にスクロール上部材４２側に延びるように形成された爪部４１ｇと、ユニットケーシング２の背面２ｂ側の上端部の角部にスクロール上部材４２側に延びるように形成されておりスクロール上部材４２の角部が外嵌可能な嵌合部４１ｈとを有している。
スクロール上部材４２は、仕切板２３の開口２３ａの第１端部４１ｂに対応する部分以外の部分、すなわち、仕切板２３の開口２３ａの上辺、両側辺に対応するように対応するように形成された逆Ｕ字形状の断面を有する第２端部４２ａを有している。この第２端部４２ａは、本実施形態において、第１端部４１ｂと同様に、仕切板２３に向かうにつれて斜め下方向に延び、その先端が開口２３ａに挿入されて熱交換器室Ｓ2側に突出しており、第１端部４１ｂとともにスクロールケーシング３１ａ内の空気を吹き出すためのスクロール吹出口３５ａを構成している。また、第２端部４２ａの下端部の送風機室Ｓ1側の部分は、スクロール下部材４１の側壁部４１ｉの内面に沿うように、かつ、スクロール下部材４１の舌部４１ａのスクロール上部材４２側の面に当接するように配置されている。そして、第２端部４２ａの下端部には、スクロール下部材４１の側壁部４１ｉと仕切板２３との間に、スクロール下部材４１の側壁部４１ｉの仕切板２３側の端部が当接する当接爪部４２ｊが形成されている。
【００４０】
また、スクロール上部材４２は、第２端部４２ａに形成されたフランジ部４２ｂを有している。フランジ部４２ｂは、第２端部４２ａの外周端から仕切板２３に沿って上方及び両側方に向かって延びる板状部分である。フランジ部４２ｂは、逆流防止部４１ｃが当接する仕切板２３の開口２３ａの下辺側の周縁部２４以外の周縁部、すなわち、開口２３ａの上辺側の周縁部２５及び両側辺側の周縁部２６、２７に当接しており、第２端部４２ａと仕切板２３の開口２３ａとの間の隙間をシールしている。フランジ部４２ｂは、開口２３ａの両側辺側の周縁部２６、２７に当接する部分が複数（本実施形態では、４個）のネジ４３によって仕切板２３に固定されている。
【００４１】
また、スクロール上部材４２は、仕切板２３の開口２３ａの周縁部２４を逆流防止部４１ｃとの間に挟むように配置された挟持部４２ｃ、４２ｄを有している。挟持部４２ｃ、４２ｄは、本実施形態において、フランジ部４２ｂの両側辺の部分の下端部から仕切板２３に沿って下方に延びる板状部分である。これにより、仕切板２３の開口２３ａの周縁部２４と逆流防止部４１ｃとの密着が良好になり、スクロール下部材４１の第１端部４１ｂと仕切板２３の開口２３ａが設けられた部分との間のシール性が高められている。
【００４２】
また、スクロール上部材４２は、スクロール下部材４１が装着された際に、スクロール吸入口３４ａが形成されるように、シャフト３３ｂを中心とする半円形状のベルマウス上部４２ｅが両側面に形成されている。そして、ベルマウス上部４２ｅの舌部４１ａ近傍には、側方に向かって突出する柱状部４２ｆが形成されている。この柱状部４２ｆは、スクロール下部材４１がスクロール上部材４２に装着された状態で、スクロール下部材４１に形成された凹部４１ｅに嵌るように配置されている。また、ベルマウス上部４２ｅの柱状部４２ｆのシャフト３３ｂを挟んで略対角側の位置には、側方に向かって突出するとともにスクロール下部材４１側に向かって突出する逆Ｖ字形状の凹部４２ｇが形成されている。この凹部４２ｇは、スクロール下部材４１がスクロール上部材４２に装着された状態で、スクロール下部材４１に形成された柱状部４１ｆが嵌るように配置されている。
【００４３】
さらに、スクロール上部材４２には、スクロール下部材４１の爪部４１ｇを係止可能な係止部４２ｈが爪部４１ｇに対応する位置に形成されている。また、スクロール上部材４２は、ユニットケーシング２の背面２ｂ側の下端部にスクロール下部材４１側に延びるように形成されスクロール下部材４１の縁部に外嵌可能な嵌合部４２ｉを有している。
（３）送風装置の組み立て方法
本実施形態の送風装置３の組み立て方法、特に、スクロールケーシング３１ａ〜３１ｃをユニットケーシング２に組み込み方法について、図３及び図７〜図１１を用いて説明する。ここで、図７〜図１１は、送風装置、特に、スクロールケーシング３１ａ〜３１ｃの一連の組み込み作業を説明する図である。
【００４４】
まず、ユニットケーシング２の下面を主に構成するケーシング蓋部材２２が装着されていない状態のケーシング本体２１（図３及び図７〜図１１において図示せず）の上面が下側になるように作業台に配置し、仕切板２３をケーシング本体２１に装着して送風機室Ｓ1及び熱交換器室Ｓ2を形成しておく。
次に、図７に示されるように、スクロール上部材４２の第２端部４２ａを仕切板２３の開口２３ａ〜２３ｃに挿入し、一部が熱交換器室Ｓ2側に突出するように配置して、スクロール上部材４２を仕切板２３及びケーシング本体２１に固定する。ここで、スクロール上部材４２のフランジ部４２ｂは、仕切板２３の開口２３ａ〜２３ｃの周縁部２５〜２７に当接するように配置される。また、挟持部４２ｃ、４２ｄは、仕切板２３の開口２３ａ〜２３ｃの周縁部２４の側方の部分に当接するように配置される。そして、フランジ部４２ｂの周縁部２６、２７に当接した部分は、ネジ４３によって固定される（第１工程）。
【００４５】
次に、図８に示されるように、送風装置３を構成する羽根車３２ａ〜３２ｃを電動機３３（図３及び図７〜図１１において図示せず）とをシャフト３３ｂを介して連結したアセンブリを、スクロール上部材４２の所定位置に配置する。（第２工程）。
次に、図９に示されるように、スクロール下部材４１の第１端部４１ｂを羽根車３２ａ〜３２ｃとの干渉を避けながら仕切板２３の開口２３ａ〜２３ｃに斜め上方から挿入する。具体的には、スクロール下部材４１の舌部４１ａが羽根車３２ａ〜３２ｃの外周面に干渉しないようにする。続いて、図１０及び図１１に示されるように、スクロール下部材４１を矢印Ｆの方向に旋回させるようにしてスクロール下部材４１をスクロール上部材４２に装着して、図３に示されるようなスクロールケーシング３１ａ〜３１ｃを完成させる。具体的には、図１０に示されるように、スクロール下部材４１の逆流防止部４１ｃがスクロール上部材４２の当接爪部４２ｊの下側を通過するように、第１端部４１ｂを仕切板２３の開口２３ａ〜２３ｃに挿入する。そして、図１１に示されるように、逆流防止部４１ｃが仕切板２３の熱交換器室Ｓ2側に突出し、かつ、スクロール下部材４１の側壁部４１ｉの仕切板２３側の端部がスクロール上部材４２の当接爪部４２ｊに当接するまで、第１端部４１ｂを仕切板２３の開口２３ａ〜２３ｃにさらに挿入した後、さらに、スクロール下部材４１を矢印Ｆの方向に旋回させて、スクロール下部材４１の爪部４１ｇをスクロール上部材４２の係止部４２ｈに係止する。すると、スクロール上部材４２の角部がスクロール下部材４１の嵌合部４１ｈに外嵌され、スクロール上部材４２の嵌合部４２ｉがスクロール下部材４１の縁部に外嵌される。また、ベルマウス上部４２ｅの舌部４１ａ近傍に形成された柱状部４２ｆがスクロール下部材４１に形成された凹部４１ｅに嵌り、また、スクロール下部材４１に形成された柱状部４１ｆがベルマウス上部４２ｅの凹部４２ｇに嵌るようになる。さらに、スクロール上部材４２の第２端部４２ａの下端部は、スクロール下部材４１の側壁部４１ｉの内側に沿って配置された状態となる（図４参照）。そして、スクロール下部材４１の第１端部４１ｂに形成された逆流防止部４１ｃが仕切板２３の開口２３ａ〜２３ｃの周縁部２４に当接する（第３工程）。
【００４６】
最後に、ケーシング本体２１にケーシング蓋部材２２を装着することによって送風装置３を完成させ、さらに、上記第１〜第３工程の前後の工程において、熱交換器５や電装品箱６をユニットケーシング２に組み込んで室内ユニット１を完成させる。
このように、本実施形態の送風装置３の組み立て方法では、第１端部４１ｂに形成された逆流防止部４１ｃがスクロール下部材４１の旋回動作を妨げることがないように仕切板２３の開口２３ａ〜２３ｃの周縁部２４の熱交換器室Ｓ2側の面に当接するように形成されているため、スクロールケーシング３１ａ〜３１ｃをユニットケーシング２内に組み込む際の作業性を損なうことなく、スクロール下部材４１の第１端部４１ｂと仕切板２３の開口２３ａ〜２３ｃの周縁部２４との間のシール性を高めることが可能になっている。
【００４７】
（４）室内ユニットの動作
本実施形態の室内ユニット１の動作について、図１及び図６を用いて説明する。
送風装置３の電動機３３を起動することによって羽根車３２ａ〜３２ｃを回転駆動すると、送風装置３の送風装置吸入口としてのユニットケーシング２のユニット吸入口２ｇ、２ｈのいずれかから送風機室Ｓ1内に空気が取り込まれる。この送風機室Ｓ1内に取り込まれた空気は、スクロールケーシング３１ａ〜３１ｃの両側面に形成されたスクロール吸入口３４ａ〜３４ｃを通じて経由してスクロールケーシング３１ａ〜３１ｃ内に吸入され、羽根車３２ａ〜３２ｃによって羽根車３２ａ〜３２ｃの外周側に吹き出される。そして、羽根車３２ａ〜３２ｃの外周側に吹き出されて昇圧された空気は、送風装置３の送風装置吹出口としての仕切板２３の開口２３ａ〜２３ｃに対応するように配置されたスクロールケーシング３１ａ〜３１ｃのスクロール吹出口３５ａ〜３５ｃから熱交換器室Ｓ2内に吹き出され、熱交換器５を通過する際に熱交換器５の伝熱管内を流れる冷媒と熱交換を行い、加熱又は冷却される。そして、熱交換器５によって加熱又は冷却された空気は、ユニット吹出口２ｉを経由して空調室内に吹き出される。
【００４８】
ここで、仕切板２３と各スクロールケーシング３１ａ〜３１ｃとが別体であるため、仕切板２３の各開口２３ａ〜２３ｃの位置において、両部材間には、隙間ができてしまう。このため、送風装置３の送風仕事によって昇圧されてスクロールケーシング３１ａ〜３１ｃのスクロール吹出口３５ａ〜３５ｃから熱交換器室Ｓ2に吹き出された空気の一部は、送風機室Ｓ1内の圧力よりも熱交換器室Ｓ2内の圧力が高いことから、仕切板２３とスクロールケーシング３１ａ〜３１ｃとの間の隙間を通じて送風機室Ｓ1側に逆流してしまうおそれがある。
【００４９】
しかし、本実施形態のスクロールケーシング３１ａ〜３１ｃでは、スクロール下部材４１がスクロール下部材４１をスクロール上部材４２に装着した状態において、スクロール下部材４１の第１端部４１ｂに仕切板２３の開口２３ａ〜２３ｃの周縁部の一部（具体的には、周縁部２４）に当接する逆流防止部４１ｃが設けられているため、スクロールケーシング３１ａ〜３１ｃを送風機室Ｓ1内に組み込む際の作業性を損なうことなく、スクロール下部材４１の第１端部４１ｂと仕切板２３の開口２３ａ〜２３ｃが設けられた部分との間のシール性を高められている。これにより、スクロールケーシング３１ａ〜３１ｃを通じてスクロール吹出口３５ａ〜３５ｃから吹き出される空気が送風機室Ｓ1内に逆流する量を少なくなっており、送風性能の低下を防ぐことができている。
【００５０】
また、本実施形態のスクロールケーシング３１ａ〜３１ｃでは、スクロール上部材４２の第２端部４２ａが、スクロール下部材の第１端部４１ｂに設けられた逆流防止部４１ｃが当接する仕切板２３の開口２３ａ〜２３ｃの周縁部２４以外の周縁部２５、２６、２７に当接するフランジ部４２ｂを有しているため、スクロール上部材４２の第２端部４２ａと仕切板２３の開口２３ａ〜２３ｃが設けられた部分とのシール性も高められている。これにより、スクロールケーシング３１ａ〜３１ｃを通じてスクロール吹出口３５ａ〜３５ｃから吹き出される空気が送風機室Ｓ1内に逆流する量がさらに少なくなっている。
【００５１】
［第２実施形態］
前記実施形態のスクロールケーシング３１ａ〜３１ｃのスクロール下部材４１の逆流防止部４１ｃは、仕切板２３の熱交換器室Ｓ2側の面に当接するように形成されているが、図１２〜図１４に示される本実施形態のスクロールケーシング１３１ａ〜１３１ｃのように、仕切板２３の送風機室Ｓ1側の面に当接するように形成されていてもよい。ここで、図１２は、第２実施形態のスクロールケーシング１３１ａ〜１３１ｃを示す図であって、図３に相当する図である。図１３は、第２実施形態のスクロールケーシング１３１ａ〜１３１ｃを示す図であって、図４に相当する図である。図１４は、第２実施形態のスクロールケーシング１３１ａ〜１３１ｃを示す図であって、図６に相当する図である。
【００５２】
具体的には、本実施形態のスクロール下部材１４１の第１端部１４１ｂに形成された逆流防止部１４１ｃは、第１実施形態の逆流防止部４１ｃよりも下方に長く延びている。しかも、弾性変形を容易に行わせることができるように、第１実施形態における逆流防止部４１ｃに比べて、板厚を薄くしたものを使用したり、弾性変形が容易な素材が使用されている。このため、スクロールケーシング１３１ａ〜１３１ｃをユニットケーシング２に組み込む際には、図１５に示されるように、逆流防止部１４１ｃの先端部を仕切板２３の周縁部２４の送風機室Ｓ1側の面に当接させた状態でスクロール下部材１４１を旋回させることによって弾性変形させるようにしている。このようにして、第１実施形態と同様に、スクロールケーシング１３１ａ〜１３１ｃを送風機室Ｓ1内に組み込む際の作業性を損なうことなく、スクロール下部材１４１の第１端部１４１ｂと仕切板２３の周縁部２４との間のシール性を高めることができる。
【００５３】
［他の実施形態］
以上、本発明の実施形態について図面に基づいて説明したが、具体的な構成は、これらの実施形態に限られるものではなく、発明の要旨を逸脱しない範囲で変更可能である。
（Ａ）
前記実施形態においては、ダクト構造を有する室内ユニットを例にして説明したが、これに限定されず、他の型式の室内ユニットや熱交換器を有しない送風装置等に本発明を適用してもよい。
【００５４】
（Ｂ）
第１実施形態において、スクロールケーシングは、樹脂製であったが、これに限定されず、金属等の他の素材を使用してもよい。
【産業上の利用可能性】
【００５５】
本発明を利用すれば、舌部を有する第１スクロール部材と第１スクロール部材が装着されてスクロールケーシングを構成する第２スクロール部材とに分割可能な構造を有する遠心送風機のスクロールケーシングを送風装置ケーシングに組み込むことによって構成される送風装置において、組み込み作業の作業性を損なうことなく、スクロールケーシングを通じて送風装置吹出口から吹き出された空気が送風装置ケーシング内に逆流する量を少なくすることができる。また、ユニットケーシング内の空間が開口を有する仕切板によって送風機室と熱交換器室とに仕切られた空気調和装置の室内ユニットにおいて、送風機室に配置された遠心送風機のスクロールケーシングを通じて熱交換器室内に吹き出された空気が送風機室内に逆流する量を少なくすることができる。
【図面の簡単な説明】
【００５６】
【図１】室内ユニットの平面図（ユニットケーシングの上面を取り除いて図示）である。
【図２】室内ユニットの側面図（図１のＡ矢視図）である。
【図３】第１実施形態のスクロールケーシングを示す図であって、図１のＢ−Ｂ断面図（ユニットケーシングを除いて図示）である。
【図４】第１実施形態のスクロールケーシングを示す図であって、図３のＣ−Ｃ断面図である。
【図５】第１実施形態のスクロールケーシングを示す図であって、図３のＤ矢視図である。
【図６】第１実施形態のスクロールケーシングを示す図であって、図４のＥ−Ｅ断面図である。
【図７】第１実施形態の送風装置、特に、スクロールケーシングの一連の組み込み作業を説明する図である。
【図８】第１実施形態の送風装置、特に、スクロールケーシングの一連の組み込み作業を説明する図である。
【図９】第１実施形態の送風装置、特に、スクロールケーシングの一連の組み込み作業を説明する図である。
【図１０】第１実施形態の送風装置、特に、スクロールケーシングの一連の組み込み作業を説明する図である。
【図１１】第１実施形態の送風装置、特に、スクロールケーシングの一連の組み込み作業を説明する図である。
【図１２】第２実施形態のスクロールケーシングを示す図であって、図３に相当する図である。
【図１３】第２実施形態のスクロールケーシングを示す図であって、図４に相当する図である。
【図１４】第２実施形態のスクロールケーシングを示す図であって、図６に相当する図である。
【図１５】第２実施形態の送風装置、特に、スクロールケーシングの一連の組み込み作業を説明する図であって、図１０に相当する図である。
【符号の説明】
【００５７】
１  室内ユニット
２  ユニットケーシング
２ｇ、２ｈ  ユニット吸入口
２ｉ  ユニット吹出口
３  送風装置
５  熱交換器
２３  仕切板
２４  周縁部
２３ａ〜２３ｃ  開口
３１ａ〜３１ｃ、１３１ａ〜１３１ｃ  スクロールケーシング
３２ａ〜３２ｃ  羽根車
３３  電動機
３３ｂ  シャフト
３５ａ〜３５ｃ  スクロール吹出口
４１、１４１  スクロール下部材
４１ａ  舌部
４１ｂ、１４１ｂ  第１端部
４１ｃ、１４１ｃ  逆流防止部
４２  スクロール上部材
４２ａ  第２端部
４２ｂ  フランジ部
４２ｃ、４２ｄ  挟持部
Ｓ1  送風機室
Ｓ2  熱交換器室
【図１】
2005069177.tif 000003
【図２】
2005069177.tif 000004
【図３】
2005069177.tif 000005
【図４】
2005069177.tif 000006
【図５】
2005069177.tif 000007
【図６】
2005069177.tif 000008
【図７】
2005069177.tif 000009
【図８】
2005069177.tif 000010
【図９】
2005069177.tif 000011
【図１０】
2005069177.tif 000012
【図１１】
2005069177.tif 000013
【図１２】
2005069177.tif 000014
【図１３】
2005069177.tif 000015
【図１４】
2005069177.tif 000016
【図１５】
2005069177.tif 000017